(57)【要約】【課題】ディスクカートリッジを確実に位置決めすることができるとともに製造コストを削減できるディスク再生装置を提供する。【解決手段】本体部３０に固定されるシャーシ１の側面にレバー部材２を枢支し、レバー部材２の一端に設けられた第１軸部３を付勢手段９により上方に付勢するとともに他端に第２軸部４を設ける。上蓋４０を開いた際には第１軸部３は付勢力により上昇して第２部材４が下降し、ディスクカートリッジ２を装着して上蓋４０を閉じると第１軸部３がディスクカートリッジ２に押圧されて下降するとともに第２軸部４が上昇してディスクカートリッジ２が位置決めされる。【選択図】　　　図８
2004087013.tif 000002
【特許請求の範囲】
【請求項１】
本体部に枢支される上蓋の開閉によって、挿入方向の前後に設けられた第１、第２孔部を有するディスクカートリッジを装着してディスク情報を読み取るディスク再生装置において、前記上蓋とともに回動してディスクカートリッジを保持するホルダーと、前記上蓋を閉じた際に第１、第２孔部にそれぞれ嵌合してディスクカートリッジを位置決めする第１、第２軸部とを備え、前記上蓋を開いた際に第２軸部が下降するとともに、ディスクカートリッジを前記ホルダーに装着して前記上蓋を閉じた際に第２軸部が上昇することを特徴とするディスク再生装置。
【請求項２】
本体部に枢支される上蓋の開閉によって、挿入方向の前後に設けられた第１、第２孔部を有するディスクカートリッジを装着してディスク情報を読み取るディスク再生装置において、前記上蓋とともに回動してディスクカートリッジを保持するホルダーと、前記上蓋を閉じた際に第１、第２孔部にそれぞれ嵌合してディスクカートリッジを位置決めする第１、第２軸部とを備え、前記上蓋を開いた際に第１軸部が上昇するとともに、ディスクカートリッジを前記ホルダーに装着して前記上蓋を閉じた際に第１軸部が下降することを特徴とするディスク再生装置。
【請求項３】
前記上蓋を開いた際に第２軸部が下降するとともに、ディスクカートリッジを前記ホルダーに装着して前記上蓋を閉じた際に第２軸部が上昇することを特徴とする請求項２に記載のディスク再生装置。
【請求項４】
前記本体部の前面に上方へ突出して形成されるとともに前記上蓋と係合して前記上蓋の閉成状態をロックするロック部材を備え、前記上蓋を開いた際に第１軸部が前記ロック部材よりも上方に突出することを特徴とする請求項２または請求項３に記載のディスク再生装置。
【請求項５】
前記上蓋が開いた際にディスクカートリッジの後端を押圧して排出する排出機構を有することを特徴とする請求項４に記載のディスク再生装置。
【請求項６】
前記ホルダーを枢支して前記本体部に固定されるシャーシと、前記シャーシの側面に枢支されるとともに枢支軸の両側に第１、第２軸部が取り付けられるレバー部材と、第１軸部を上方に付勢する付勢手段とを備えたことを特徴とする請求項１〜請求項５のいずれかに記載のディスク再生装置。
【請求項７】
第１軸部が嵌挿されるガイド孔を前記シャーシに設けるとともに、第１軸部が前記レバー部材に係合して前記レバー部材を回動させることを特徴とする請求項６に記載のディスク再生装置。
【発明の詳細な説明】
【０００１】
【発明の属する技術分野】
本発明は、ディスクカートリッジ内に収納されたディスクの記録情報を再生するディスク再生装置に関する。
【０００２】
【従来の技術】
図２０は、ＭＤやＭＯ等のディスクを収納したディスクカートリッジを装着して記録情報を再生する従来のディスク再生装置を示す斜視図である。ディスク再生装置１５０は本体部１３０に上蓋１４０が枢支され、上蓋１４０がＡＢ方向に回動して上面が開閉可能になっている。
【０００３】
本体部１３０にはシャーシ１０１が固着され、シャーシ１０１には記録情報を読み取る光ピックアップ１０６がディスク２１の径方向に移動可能に取り付けられている。シャーシ１０１の上面には、前後に配される第１、第２軸部１０１ａ、１０１ｂが上方に向けて突設されている。
【０００４】
第１、第２軸部１０１ａ、１０１ｂはディスクカートリッジ２０に凹設される第１、第２孔部２０ａ、２０ｂに嵌合してディスクカートリッジ２０を位置決めする。本体部１３０の前面側にはロック部材１３１が設けられている。ロック部材１３１はイジェクトボタン１３２と一体化され、左右方向に移動可能になっている。
【０００５】
また、シャーシ１０１には上蓋１４０と一体に回動するホルダー１１０が枢支されている。ホルダー１１０はディスクカートリッジ２０を保持し、上蓋１４０の開閉によりディスクカートリッジ２０が装着位置と再生位置との間を搬送される。また、上蓋１４０の前面にはロック片１４１が設けられている。ロック片１４１はロック部材１３１と係合して上蓋１４０の閉成状態をロックする。
【０００６】
上記構成のディスク再生装置１５０において、イジェクトボタン１３２をＣ方向に移動させるとロック片１４１とロック部材１３１との係合が解除される。これにより、上蓋１４０が矢印Ａ方向に回動し、図２１に示すように上蓋１４０が開かれてホルダー１１０にディスクカートリッジ２０を挿入することができる。
【０００７】
ディスクカートリッジ２０を所定位置まで挿入して上蓋１４０を矢印Ｂ方向に回動すると、図２２に示すように、上蓋１４０が閉じられる。この時、ロック片１４１とロック部材１３１とは係合して上蓋１４０がロックされる。また、ディスクカートリッジ２０の第１、第２孔部２０ａ、２０ｂに第１、第２軸部１０１ａ、１０１ｂが嵌入され、ディスクカートリッジ２０が位置決めされる。そして、スピンドルモータ１０５がディスク２１の孔部２１ａに嵌入してディスク２１を回転駆動する。
【０００８】
図２２の状態からイジェクトボタン１３２をスライドさせると、ロック片１４１とロック部材１３１との係合が解除される。これにより、上蓋１４０を矢印Ａ方向に回動し、上蓋１４０が所定の回動角度に配されると本体部１３０の後部に設けられた排出機構（不図示）が動作してディスクカートリッジ２０を前方へ押し出す。これにより、ディスクカートリッジ２０を取り出すことができる。
【０００９】
【発明が解決しようとする課題】
しかしながら、上記の従来のディスク再生装置によると、ディスクカートリッジ２０は傾斜したホルダー１１０に挿入されるため、後方の第２軸部１０１ｂはディスクカートリッジ２０との干渉を防止するために低く形成される。その結果、上蓋１４０が閉じられた際にディスクカートリッジ２０を確実に位置決めできず、スピンドルモータ１０５がディスク２１に衝突してディスク２１を損傷する危険があった。
【００１０】
また、ディスクカートリッジ２０の排出時に排出機構による押し出しのタイミングが早いとディスクカートリッジ２０がロック部材１３１と衝突する危険がある。一方、押し出しのタイミングが遅いと上蓋１４０が最大回動角度まで開いても排出機構が動作しない場合がある。このため、排出機構の各部品精度及び組立精度を高くする必要があり、ディスク再生装置１５０のコストが増大する問題があった。
【００１１】
これらの問題を解決するために、上蓋１４０を開いた際の回動角度を大きくする構成が考えられる。この構成によると、第２軸部１０１ｂを高くできるとともに、排出機構の部品精度や組立精度が低くてもディスクカートリッジ２０と係合部材１３１との衝突を回避することが可能である。
【００１２】
しかしながら、上蓋１４０の回動角度を大きくすると、上蓋１４０を開いた際に内部を容易に視認できるため、美観が損なわれる問題がある。また、図２３に示すように、ホルダー１１０の下方にディスクカートリッジ２０を誤挿入して光ピックアップ１０６等を損傷する危険がある。このため、上蓋１４０の回動角度を大きくして上記問題を解決することはできない。
【００１３】
本発明は、ディスクカートリッジを確実に位置決めすることのできるディスク再生装置を提供することを目的とする。また本発明は、製造コストを削減できるディスク再生装置を提供することを目的とする。
【００１４】
【課題を解決するための手段】
上記目的を達成するために本発明は、本体部に枢支される上蓋の開閉によって、挿入方向の前後に設けられた第１、第２孔部を有するディスクカートリッジを装着してディスク情報を読み取るディスク再生装置において、前記上蓋とともに回動してディスクカートリッジを保持するホルダーと、前記上蓋を閉じた際に第１、第２孔部にそれぞれ嵌合してディスクカートリッジを位置決めする第１、第２軸部とを備え、前記上蓋を開いた際に第２軸部が下降するとともに、ディスクカートリッジを前記ホルダーに装着して前記上蓋を閉じた際に第２軸部が上昇することを特徴としている。
【００１５】
この構成によると、上蓋が開かれてホルダーにディスクカートリッジが挿入される。この時、第２軸部は下降してディスクカートリッジの進路上から退避する。上蓋を閉じると、ホルダーが回動してディスクカートリッジが所定位置に配される。この時、ディスクカートリッジの第１孔部に第１軸部が嵌入されるとともに、第２軸部が上昇してディスクカートリッジの第２孔部に嵌入される。これによりディスクカートリッジが位置決めされ、ディスクの再生が行われる。
【００１６】
また本発明は、上蓋を開いた際に第１軸部が上昇するとともに、ディスクカートリッジをホルダーに装着して上蓋を閉じた際に第１軸部が下降することを特徴としている。この構成によると、上蓋を開いた際に第１軸部が上昇して、ホルダーの下方へのディスクカートリッジの誤挿入が防止される。
【００１７】
また、前面に上方へ突出するロック部材よりも上方に第１軸部が上昇すると、上蓋の回動角度が小さいときに排出機構によってディスクカートリッジの後端が押圧されても第１孔部と第１軸部の係合によりディスクカートリッジが保持され、ロック部材とディスクカートリッジの衝突が防止される。
【００１８】
昇降する第１、第２軸部は、シャーシの側面に枢支されるレバー部材の両端部に配し、第１軸部を上方に付勢して実現することができる。ディスクカートリッジを装着すると、ディスクカートリッジの第１孔部の底面が第１軸部に当接し、付勢力に抗して第１軸部が下降して第２軸部が上昇する。また、第１軸部をシャーシに設けたガイド孔に嵌挿してレバー部材と第１軸部とを係合させると、ガイド孔の案内により第１軸部を直進させることができる。
【００１９】
【発明の実施の形態】
以下に本発明の実施形態を図面を参照して説明する。図１は第１実施形態のディスク再生装置を示す斜視図である。ディスク再生装置５０は本体部３０に上蓋４０が枢支され、上蓋４０がＡＢ方向に回動して上面が開閉可能になっている。ディスク２１を収納するディスクカートリッジ２０を上蓋４０と一体に回動するホルダー１０に挿入して上蓋４０を閉じると、ディスクカートリッジ２０はホルダー１０に保持されてディスク再生装置５０に装着されるようになっている。
【００２０】
図２はディスク再生装置５０の分解斜視図である。上面を開放した箱型に形成された本体部３０の後部には左右方向の両側に支持板３０ｃが立設されている。支持板３０ｃには側方に向けて突出する枢支軸３０ａ、３０ｂが設けられる。本体部３０の前面には、引張りバネ３３により左方に付勢されるロック部材３１が設けられている。ロック部材３１は外面側に設けられたイジェクトボタン３２と一体化され、左右方向に移動可能になっている。
【００２１】
下面を開放した箱型に形成された上蓋４０の両側面には枢支軸３０ａ、３０ｂに嵌合する軸孔４０ａ、４０ｂが形成されている。これにより、上蓋４０が回動してディスク再生装置５０を開閉可能になっている。また、上蓋４０の前面には、ロック部材３１に係合可能なロック片４１が取り付けられている。ロック部材３１とロック片４１とが係合して上蓋４０の閉成状態がロックされる。
【００２２】
本体部３０には、板金加工から成るシャーシ１がネジ（不図示）等により固着されている。シャーシ１の後方の両側部には枢支部１ｊ、１ｋが折曲により立設されており、枢支部１ｊ、１ｋには側方に向けて突出する枢支軸１ｂ、１ｃが設けられている。一方の枢支部１ｋには上方へ行くほど後方になるように傾斜したカム溝１ｄが形成されている。
【００２３】
シャーシ１の略中央にはスピンドルモータ５が取り付けられる。スピンドルモータ５はディスク２１の中央に設けられた孔部２１ａ（図１参照）に嵌合し、ディスク２１を保持して回転駆動する。スピンドルモータ５の側方にはディスク２１の記録情報を読み取る光ピックアップ６が配置される。光ピックアップ６は一側部がガイド軸７に挿通され、他側部がガイド部８に係合している。これにより、光ピックアップ６がディスク２１の径方向に移動可能になっている。
【００２４】
シャーシ１の上面の４箇所には突起部１ｅ、１ｆ、１ｇ、１ｈが設けられている。突起部１ｅ、１ｆ、１ｇ、１ｈはディスク再生装置５０に装着されるディスクカートリッジ２０に当接してディスクカートリッジ２０の高さ方向の位置決めを行う。
【００２５】
また、右方の突起部１ｅ、１ｆには貫通孔１ｍ、１ｎ（図７参照）が設けられ、貫通孔１ｍ、１ｎに第１、第２軸部３、４が挿通されている。シャーシ１の一側面には支軸１ａで枢支されるレバー部材２が設けられている。レバー部材２は折曲により両端部がシャーシ１の裏面側に延設され、一端に第２軸部４が一体に設けられている。
【００２６】
支軸１ａに対して第２軸部４の反対側の端部は図３に示すように凹欠され、溝部２ａが形成されている。溝部２ａは第１軸部３の周面に形成された係合溝３ａに係合して第１軸部３と一体に移動できる。これにより、レバー部材２が支軸１ａを中心に回動して第１、第２軸部３、４がシーソーのように上下移動可能になっている。また、シャーシ１の裏面には板バネ（付勢手段）９が取り付けられている。板バネ９の開放端は第１軸部３の底面を押圧して第１軸部３を上方に付勢する。
【００２７】
ホルダー１０は板金加工により形成され、両側面に設けられた軸孔１０ａ、１０ｂにシャーシ１の枢支軸１ｂ、１ｃが嵌合して回動可能になっている。また、ホルダー１０は図示しない保持機構によって上蓋４０と一体化され、上蓋４０と異なる回動角度で一体に回動するようになっている。
【００２８】
ホルダー１０には両側部を裏面側に折曲して保持部１０ｂが設けられている。保持部１０ｂによりディスクカートリッジ２０が保持され、ディスクカートリッジ２０はホルダー１０とともに回動してシャーシ１の突起部１ｅ、１ｆ、１ｇ、１ｈ上に載置される。
【００２９】
ホルダー１０の後部には排出機構１５が設けられる。図４、図５は排出機構１５の詳細を示す側面図及び上面図である。排出機構１５は、回動板１１、スライド板１２及び引張りバネ１３を有している。回動板１１はホルダー１０の上面に設けられた回動軸１０ｃにより回動可能に取り付けられている。回動板１１には爪部１１ｃが上方に突設されており、ホルダー１０の上面に設けられた爪部１０ｅとの間に引張りバネ１３が掛着されている。これにより、回動板１１が上方から見て時計回りに付勢されている。
【００３０】
回動板１１の先端の下面側にはディスクカートリッジ２０が当接する当接部１１ｂが形成されている。回動板１１の後部には先端が開放されたレバー部１１ｄが延設されている。レバー部１１ｄの先端には前面側に突出したフック１１ａが形成され、レバー部１１ｄが延びた方向に垂直な方向に弾性変形してフック１１ａが揺動可能になっている。また、ホルダー１０の後面には、フック１１ａに係合できる爪部１０ｄが形成されている。
【００３１】
スライド板１２は断面Ｌ字型に形成され、側面側がシャーシ１の枢支部１ｋとホルダー１０との間に配置される。スライド板１２の側面側にはガイド溝１２ｃが形成される。ガイド溝１２ｃにはホルダー１０に設けられたガイド突起１０ｅが係入され、ガイド突起１０ｅの案内によりスライド板１２がホルダー１０に沿って前後方向にスライド移動可能になっている。
【００３２】
ガイド溝１２の後方にはカム突起１２ｂが突設される。カム突起１２ｂはシャーシ１のカム溝１ｄに係合し、ホルダー１０が枢支軸１ｃを中心に回動して開くとカム突起１２ｂがカム溝１ｄに案内されてスライド板１２が後方に移動するようになっている。スライド板１２の上面側にはロック解除片１２ａが後方に向けて延設されている。ロック解除片１２ａは先端が開放され、延びた方向に垂直な方向に弾性変形可能になっている。
【００３３】
上記構成のディスク再生装置５０において、イジェクトボタン３２をＣ方向に移動させるとロック片４１とロック部材３１との係合が解除される。これにより、上蓋４０が矢印Ａ方向に回動して開かれ、ホルダー１０にディスクカートリッジ２０を挿入することができる。
【００３４】
図６〜図９はディスクカートリッジ２０を挿入し始めた状態を示す左側面図、上面図、右側面図及び正面図である。上蓋４０の回動角度は、ロック片４１とロック部材３１との間にディスクカートリッジ２０が通過可能な隙間になるように規制されており、該隙間に面してホルダー１０の挿入側の面が配置される。
【００３５】
第１軸部３は板バネ９の付勢により上方に突出しており、先端がホルダー１０に接近してロック部材３１よりも上方に配される。これに伴ってレバー部材２が傾斜して第２軸部４がシャーシ１よりも下方に退避している。これにより、ディスクカートリッジ２０と第２軸部４とが干渉することなくディスクカートリッジ２０をホルダー１０内に挿入可能になっている。
【００３６】
排出機構１５の詳細な側面図及び上面図を図１０、図１２に示す。スライド部材１２のカム突起１２ｂはホルダー１０の回動に伴いシャーシ１のカム溝１ｄにより後方に案内される。これにより、スライド部材が後方にスライド移動して、ロック解除片１２ａがホルダー１０の爪部１０ｄよりも後方に配される。
【００３７】
ディスクカートリッジ２０をさらに挿入すると、ディスクカートリッジ２０が回動板１１の当接部１１ｂに当接して、引張りバネ１３の付勢力に抗して回動板１１が回動する。ディスクカートリッジ２０が所定位置まで挿入されると、図１２、図１３に示すように、回動板１１のレバー部１１ｄの先端がロック解除片１２ａを押圧して弾性変形させる。そして、レバー部１１ｄのフック１１ａがホルダー１０の爪部１０ｄに係合して回動板１１がロックされる。
【００３８】
次に、上蓋４０を閉じると、ディスクカートリッジ２０はホルダー１０に保持されたまま回動する。これにより、ディスクカートリッジ２０がシャーシ１の突起部１ｅ、１ｆ、１ｇ、１ｈ上に載置される。図１４〜図１７はこの状態を示す左側面図、上面図、右側面図及び正面図である。
【００３９】
ロック部材３１はロック片４１と係合して上蓋４０の閉成状態がロックされる。第１軸部３はディスクカートリッジ２０の第１孔部２０ａに嵌入し、第１孔部２０ａの底面に押圧されて板バネ９の付勢力に抗して下降する。これに伴いレバー部材２が回動して第２軸部４が上昇し、ディスクカートリッジ２０の第２孔部２０ｂに嵌入する。これにより、ディスクカートリッジ２０の面方向が位置決めされる。
【００４０】
また、図１８、図１９に示すように、上蓋４０の回動によりカム突起１２ｂがシャーシ１のカム溝１ｄに案内されてスライド部材１２が前方へスライドする。これにより、スライド部材１２のロック解除片１２ａが回動部材１１のレバー部１１ｄから退避する。
【００４１】
ディスクカートリッジ２０が装着された状態からイジェクトボタン３２を操作してロック片４１とロック部材３１との係合が解除すると上蓋４０を開くことができる。上蓋４０を開くとシャーシ１のカム溝１ｄに案内されてスライド部材１２が後方へスライドする。これにより、ロック解除片１２ａの先端が回動部材１１のレバー部１１ｄの先端を押圧し、ホルダー１０の爪部１０ｄとフック１１ａとの係合が解除される。
【００４２】
その結果、回動部材１１のロックが解除され、引張りバネ１３によって回動板１１が回動する。回動板１１の回動によって当接部１１ｂはディスクカートリッジ２０の後面を押圧するため、ディスクカートリッジ２０がホルダー１０から排出される。これにより、ディスクカートリッジ２０を取り出すことができる。
【００４３】
本実施形態によると、上蓋４０を開いてディスクカートリッジ２０を挿入する際に第２軸部４が下降してディスクカートリッジ２０との干渉が防止される。また、ディスクカートリッジ２０を装着して上蓋４０を閉じた際に第２軸部４が上昇して第２孔部２０ｂに嵌入するので第２軸部４の高さを高くすることができ、より確実にディスクカートリッジ２０を位置決めすることができる。
【００４４】
また、上蓋４０を開いてディスクカートリッジ２０を挿入する際に第１軸部３がホルダー１０の近傍まで上昇するので、上蓋４０を閉じるとホルダー１０とともにディスクカートリッジ２０が回動して早期に第１孔部２０ａと第１軸部３とが嵌合する。これにより、ディスクカートリッジ２０を確実に所定位置に装着することができる。更に、第１軸部３に遮られてディスクカートリッジ２０がホルダー１０の下方に誤挿入されないため、光ピックアップ６の損傷等を防止することができる。
【００４５】
また、上蓋４０を開いた際にロック部材３１よりも上方まで第１軸部３が上昇するので、ディスクカートリッジ２０を装着した状態で上蓋４０を開いた際に排出機構１５による排出のタイミングが早くても第１軸部３と第１孔部２０ａとが係合してディスクカートリッジ２０が排出されない。
【００４６】
これにより、排出機構１５の部品精度や組立精度が低くても、ディスクカートリッジ２０とロック部材３１との衝突を防止することができるとともに上蓋４０の回動角度を小さくすることができる。従って、ディスクカートリッジ２０の誤挿入を防止するとともにディスク再生装置の内部の視認を困難にして美観の劣化を招くことなくディスク再生装置５０の製造コストを削減することができる。
【００４７】
また、第１軸部３がレバー部材２と一体に形成されず、レバー部材２を係合により昇降させるので、シャーシ１の突起部１ｅに設けた貫通孔（ガイド孔）１ｍの案内によって第１軸部３を直進させることができる。従って、枢支軸１ｂ、１ｃから遠い側の第１孔部２０ａはホルダー１０の回動により略直線移動するため、上昇した第１軸部３と第１孔部２０ａとの位置ずれを少なくして確実に第１軸部３を第１孔部２０ａに嵌入させることができる。
【００４８】
【発明の効果】
本発明によると、上蓋を開いてディスクカートリッジを挿入する際に第２軸部が下降してディスクカートリッジとの干渉が防止される。また、ディスクカートリッジを装着して上蓋を閉じた際に第２軸部が上昇して第２孔部に嵌入するので第２軸部の高さを高くしてより確実にディスクカートリッジを位置決めすることができる。
【００４９】
また、上蓋を開いてディスクカートリッジを挿入する際に第１軸部が上昇するので、上蓋を閉じるとディスクカートリッジが回動して早期に第１孔部と第１軸部とが嵌合する。これにより、ディスクカートリッジを確実に所定位置に装着することができる。更に、第１軸部に遮られてディスクカートリッジがホルダーの下方に誤挿入されないため、光ピックアップの損傷等を防止することができる。
【００５０】
また、上蓋を開いた際にロック部材よりも上方まで第１軸部が上昇するので、ディスクカートリッジを装着した状態で上蓋を開いた際に排出機構による排出のタイミングが早くても第１軸部と第１孔部とが係合してディスクカートリッジが排出されない。
【００５１】
これにより、排出機構の部品精度や組立精度が低くても、ディスクカートリッジとロック部材との衝突を防止することができるとともに、上蓋の回動角度を小さくすることができる。従って、ディスクカートリッジの誤挿入を防止するとともにディスク再生装置の内部の視認を困難にして美観の劣化を招くことなくディスク再生装置の製造コストを削減することができる。
【００５２】
また、第１軸部がレバー部材と一体に形成されず、レバー部材を係合により昇降させるので、シャーシに設けたガイド孔の案内によって第１軸部を直進させることができる。従って、枢支軸から遠い側の第１孔部がホルダーの回動により略直線移動するため、上昇した第１軸部と第１孔部との位置ずれを少なくして確実に第１軸部を第１孔部に嵌入させることができる。
【図面の簡単な説明】
【図１】本発明の実施形態のディスク再生装置を示す斜視図
【図２】本発明の実施形態のディスク再生装置を示す分解斜視図
【図３】本発明の実施形態のディスク再生装置の第１軸部とレバー部材の係合状態を示す上面図
【図４】本発明の実施形態のディスク再生装置の排出機構を示す側面図
【図５】本発明の実施形態のディスク再生装置の排出機構を示す上面図
【図６】本発明の実施形態のディスク再生装置を示す左側面図
【図７】本発明の実施形態のディスク再生装置を示す上面図
【図８】本発明の実施形態のディスク再生装置を示す右側面図
【図９】本発明の実施形態のディスク再生装置を示す正面図
【図１０】本発明の実施形態のディスク再生装置の排出機構の上蓋を開いた状態を示す側面図
【図１１】本発明の実施形態のディスク再生装置の排出機構の上蓋を開いた状態を示す上面図
【図１２】本発明の実施形態のディスク再生装置の排出機構のディスクカートリッジを挿入した状態を示す側面図
【図１３】本発明の実施形態のディスク再生装置の排出機構のディスクカートリッジを挿入した状態を示す上面図
【図１４】本発明の実施形態のディスク再生装置のディスクカートリッジを挿入した状態を示す左側面図
【図１５】本発明の実施形態のディスク再生装置のディスクカートリッジを挿入した状態を示す上面図
【図１６】本発明の実施形態のディスク再生装置のディスクカートリッジを挿入した状態を示す右側面図
【図１７】本発明の実施形態のディスク再生装置のディスクカートリッジを挿入した状態を示す正面図
【図１８】本発明の実施形態のディスク再生装置の排出機構のディスクカートリッジを装着した状態を示す側面図
【図１９】本発明の実施形態のディスク再生装置の排出機構のディスクカートリッジを装着した状態を示す上面図
【図２０】従来のディスク再生装置を示す斜視図
【図２１】従来のディスク再生装置のディスクカートリッジを挿入した状態を示す側面図
【図２２】従来のディスク再生装置のディスクカートリッジを装着した状態を示す側面図
【図２３】従来のディスク再生装置の問題点を説明する図
【符号の説明】
１、１０１　　シャーシ
１ｍ、１ｎ　貫通孔
２　　レバー部材
３、１０１ａ　　第１軸部
４、１０１ｂ　　第２軸部
５、１０５　スピンドルモータ
６、１０６　光ピックアップ
９　　板バネ
１０、１１０　ホルダー
１１　　回動部材
１２　　スライド部材
１３　　引張りバネ
１５　　排出機構
２０　　ディスクカートリッジ
２０ａ　第１孔部
２０ｂ　第２孔部
２１　　ディスク
３０、１３０　本体部
３１、１３１　ロック部材
３２、１３２　イジェクトボタン
４０、１４０　上蓋
４１、１４１　ロック片
５０、１５０　ディスク再生装置
【図１】
2004087013.tif 000003
【図２】
2004087013.tif 000004
【図３】
2004087013.tif 000005
【図４】
2004087013.tif 000006
【図５】
2004087013.tif 000007
【図６】
2004087013.tif 000008
【図７】
2004087013.tif 000009
【図８】
2004087013.tif 000010
【図９】
2004087013.tif 000011
【図１０】
2004087013.tif 000012
【図１１】
2004087013.tif 000013
【図１２】
2004087013.tif 000014
【図１３】
2004087013.tif 000015
【図１４】
2004087013.tif 000016
【図１５】
2004087013.tif 000017
【図１６】
2004087013.tif 000018
【図１７】
2004087013.tif 000019
【図１８】
2004087013.tif 000020
【図１９】
2004087013.tif 000021
【図２０】
2004087013.tif 000022
【図２１】
2004087013.tif 000023
【図２２】
2004087013.tif 000024
【図２３】
2004087013.tif 000025